【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
ニップ部にて記録材を搬送しながら記録材上のトナー画像を加熱するエンドレスベルトと、
前記エンドレスベルトと協働して前記ニップ部を形成する回転体と、
通電により発熱する発熱体を有し、前記エンドレスベルトを加熱するヒータと、
前記エンドレスベルトの長手方向に関し、前記ニップ部に搬送される記録材のうち前記長手方向のサイズが最小の記録材が通過する前記エンドレスベルトの領域である最小通過領域の外側の領域における前記発熱体の温度を検知する検知部と、
前記検知部による検知温度の単位時間当たりの温度上昇率に応じて、前記ヒータへの通電をオフにする温度を制御する制御部と、を有し、
前記温度上昇率が第１の上昇率であるとき、前記制御部は、前記検知温度が第１の温度に達したことに応じて前記ヒータへの通電をオフにし、前記温度上昇率が前記第１の上昇率より低い第２の上昇率であるとき、前記制御部は、前記検知温度が前記第１の温度よりも高い第２の温度に達したことに応じて前記ヒータへの通電をオフにすることを特徴とする画像加熱装置。
【請求項２】
前記温度上昇率が前記第１の上昇率であるとき、前記制御部は、前記検知温度が前記第１の温度に達するまで前記ヒータへの通電を許容し、前記温度上昇率が前記第２の上昇率であるとき、前記制御部は、前記検知温度が前記第２の温度に達するまで前記ヒータへの通電を許容することを特徴とする請求項１に記載の画像加熱装置。
【請求項３】
記録材上にトナー画像を形成する画像形成部をさらに有し、
前記温度上昇率が第１の上昇率であるとき、前記制御部は、前記検知温度が前記第１の温度に達したことに応じて前記画像形成部による画像形成動作の継続を許容した状態で前記ヒータへの通電をオフにし、前記温度上昇率が前記第２の上昇率であるとき、前記制御部は、前記検知温度が前記第２の温度に達したことに応じて前記画像形成部による画像形成動作の継続を許容した状態で前記ヒータへの通電をオフにすることを特徴とする請求項１又は２に記載の画像加熱装置。
【請求項４】
記録材上にトナー画像を形成する画像形成部をさらに有し、
前記第１の温度及び前記第２の温度は、前記画像形成部による画像形成動作の実行が禁止される所定の温度よりも低い温度であることを特徴とする請求項１又は２に記載の画像加熱装置。
【請求項５】
前記制御部は、前記温度上昇率が前記第１の上昇率であるとき、前記ヒータへの通電をオフする温度を前記第１の温度に設定し、前記温度上昇率が前記第２の上昇率であるとき前記ヒータへの通電をオフする温度を前記第２の温度に設定し、前記検知温度が設定された温度に達したことに応じて前記ヒータの通電をオフし、
記録材が前記ニップ部を通過している間に前記ヒータへの通電をオフする温度が前記第１の温度に設定された場合、前記制御部は、前記記録材の後端が前記ニップ部を抜けたことに応じて前記ヒータへの通電をオフする温度を前記第１の温度より高い温度に設定することを特徴とする請求項１乃至４の何れか１項に記載の画像加熱装置。
【請求項６】
前記制御部は、前記検知温度と前記温度上昇率とに応じて、前記ヒータへの通電をオフにする温度を制御し、
前記検知温度が第１の検知温度であって前記温度上昇率が前記第１の上昇率であるとき、前記制御部は、前記ヒータへの通電をオフにする温度を前記第１の温度に設定し、前記検知温度が前記第１の検知温度より低い第２の検知温度であって前記温度上昇率が前記第１の上昇率であるとき、前記制御部は、前記ヒータへの通電をオフにする温度を前記第１の温度よりも高い第３の温度に設定することを特徴とする請求項１乃至４の何れか１項に記載の画像加熱装置。
【請求項７】
前記長手方向におけるサイズが第１のサイズ、前記第１のサイズとは前記長手方向に関し前記検知部が設けられている位置にて前記エンドレスベルトと接触しないサイズ、である記録材が前記ニップ部にて搬送されている場合において、
前記制御部は、
前記温度上昇率が第１の上昇率であるとき、前記検知温度が前記第１の温度に達したことに応じて前記ヒータへの通電をオフにし、
前記温度上昇率が前記第２の上昇率であるとき、前記検知温度が前記第２の温度に達したことに応じて前記ヒータへの通電をオフにすることを特徴とする請求項１乃至６の何れか１項に記載の画像加熱装置。
【請求項８】
前記制御部は、前記温度上昇率に応じて、前記ヒータへの通電をオフにするまでの間の前記ヒータへの投入電力の上限値を制限することを特徴とする請求項１乃至７の何れか１項に記載の画像加熱装置。
【請求項９】
前記制御部は、前記検知温度と前記温度上昇率に応じて、前記ヒータへの通電をオフにするまでの間の前記ヒータへの投入電力の上限値を制限することを特徴とする請求項１乃至７の何れか１項に記載の画像加熱装置。
【請求項１０】
記録材上にトナー画像を形成する画像形成部と、
ニップ部にて記録材を搬送しながら前記画像形成部によって記録材上に形成されたトナー画像を加熱するエンドレスベルトと、
前記エンドレスベルトと協働して前記ニップ部を形成する回転体と、
通電により発熱する発熱体を有し、前記エンドレスベルトを加熱するヒータと、
前記エンドレスベルトの長手方向に関し、前記ニップ部に搬送される記録材のうち前記長手方向のサイズが最小の記録材が通過する前記エンドレスベルトの領域である最小通過領域の外側の領域における前記発熱体の温度を検知するセンサと、
前記ニップ部に複数枚の記録材が搬送されていることを検知する重送検知部と、
前記重送検知部による検知結果に応じて、前記ヒータへの通電をオフにする温度を制御する制御部と、を有し、
前記重送検知部により前記ニップ部に複数枚の記録材が搬送されていることが検知される場合、前記制御部は、前記センサによる検知温度が第１の温度に達したことに応じて前記ヒータへの通電をオフにし、前記重送検知部により前記ニップ部に複数枚の記録材が搬送されていることが検知されない場合、前記制御部は、前記検知温度が前記第１の温度よりも高い第２の温度に達したことに応じて前記ヒータへの通電をオフにすることを特徴とする画像形成装置。
【請求項１１】
前記重送検知部により前記ニップ部に複数枚の記録材が搬送されていることが検知される場合、前記制御部は、前記検知温度が前記第１の温度に達するまで前記ヒータへの通電を許容し、前記重送検知部により前記ニップ部に複数枚の記録材が搬送されていることが検知されない場合、前記制御部は、前記検知温度が前記第２の温度に達するまで前記ヒータへの通電を許容することを特徴とする請求項１０に記載の画像形成装置。
【請求項１２】
前記重送検知部により前記ニップ部に複数枚の記録材が搬送されていることが検知される場合、前記制御部は、前記検知温度が前記第１の温度に達したことに応じて前記画像形成部による画像形成動作の継続を許容した状態で前記ヒータへの通電をオフにし、前記重送検知部により前記ニップ部に複数枚の記録材が搬送されていることが検知されない場合、前記制御部は、前記検知温度が前記第２の温度に達したことに応じて前記画像形成部による画像形成動作の継続を許容した状態で前記ヒータへの通電をオフにすることを特徴とする請求項１０又は１１に記載の画像形成装置。
【請求項１３】
前記第１の温度及び前記第２の温度は、前記画像形成部による画像形成動作の実行が禁止される所定の温度よりも低い温度であることを特徴とする請求項１０又は１１に記載の画像形成装置。
【請求項１４】
前記重送検知部は、前記センサの出力に基づいて、前記ニップ部に複数枚の記録材が搬送されていることを検知することを特徴とする請求項１０乃至１３の何れか１項に記載の画像形成装置。
【請求項１５】
ニップ部にて記録材を搬送しながら記録材上のトナー画像を加熱するエンドレスベルトと、
前記エンドレスベルトと協働して前記ニップ部を形成する回転体と、
通電により発熱する発熱体を有し、前記エンドレスベルトを加熱するヒータと、
前記エンドレスベルトの長手方向に関し、前記ニップ部に搬送される記録材のうち前記長手方向のサイズが最小の記録材が通過する前記エンドレスベルトの領域である最小通過領域の外側の領域の前記エンドレスベルトの温度を検知する検知部と、
前記検知部による検知温度の単位時間当たりの温度上昇率に応じて、前記ヒータへの通電をオフにする温度を制御する制御部と、を有し、
前記温度上昇率が第１の上昇率であるとき、前記制御部は、前記検知温度が第１の温度に達したことに応じて前記ヒータへの通電をオフにし、前記温度上昇率が前記第１の上昇率より低い第２の上昇率であるとき、前記制御部は、前記検知温度が前記第１の温度よりも高い第２の温度に達したことに応じて前記ヒータへの通電をオフにすることを特徴とする画像加熱装置。
【手続補正２】
【補正対象書類名】明細書
【補正対象項目名】発明の名称
【補正方法】変更
【補正の内容】
【発明の名称】画像加熱装置及び画像形成装置
【手続補正３】
【補正対象書類名】明細書
【補正対象項目名】０００１
【補正方法】変更
【補正の内容】
【０００１】
本発明は、記録材上のトナー像を加熱する画像加熱装置、及び、画像加熱装置を備えた電子写真方式等の画像形成装置に関する。
【手続補正４】
【補正対象書類名】明細書
【補正対象項目名】００１１
【補正方法】変更
【補正の内容】
【００１１】
本発明に係る画像加熱装置は、
ニップ部にて記録材を搬送しながら記録材上のトナー画像を加熱するエンドレスベルトと、
前記エンドレスベルトと協働して前記ニップ部を形成する回転体と、
通電により発熱する発熱体を有し、前記エンドレスベルトを加熱するヒータと、
前記エンドレスベルトの長手方向に関し、前記ニップ部に搬送される記録材のうち前記長手方向のサイズが最小の記録材が通過する前記エンドレスベルトの領域である最小通過領域の外側の領域における前記発熱体の温度を検知する検知部と、
前記検知部による検知温度の単位時間当たりの温度上昇率に応じて、前記ヒータへの通電をオフにする温度を制御する制御部と、を有し、
前記温度上昇率が第１の上昇率であるとき、前記制御部は、前記検知温度が第１の温度に達したことに応じて前記ヒータへの通電をオフにし、前記温度上昇率が前記第１の上昇率より低い第２の上昇率であるとき、前記制御部は、前記検知温度が前記第１の温度よりも高い第２の温度に達したことに応じて前記ヒータへの通電をオフにすることを特徴とする。
また、本発明に係る画像形成装置は、
記録材上にトナー画像を形成する画像形成部と、
ニップ部にて記録材を搬送しながら前記画像形成部によって記録材上に形成されたトナー画像を加熱するエンドレスベルトと、
前記エンドレスベルトと協働して前記ニップ部を形成する回転体と、
通電により発熱する発熱体を有し、前記エンドレスベルトを加熱するヒータと、
前記エンドレスベルトの長手方向に関し、前記ニップ部に搬送される記録材のうち前記長手方向のサイズが最小の記録材が通過する前記エンドレスベルトの領域である最小通過領域の外側の領域における前記発熱体の温度を検知するセンサと、
前記ニップ部に複数枚の記録材が搬送されていることを検知する重送検知部と、
前記重送検知部による検知結果に応じて、前記ヒータへの通電をオフにする温度を制御する制御部と、を有し、
前記重送検知部により前記ニップ部に複数枚の記録材が搬送されていることが検知される場合、前記制御部は、前記センサによる検知温度が第１の温度に達したことに応じて前記ヒータへの通電をオフにし、前記重送検知部により前記ニップ部に複数枚の記録材が搬送されていることが検知されない場合、前記制御部は、前記検知温度が前記第１の温度よりも高い第２の温度に達したことに応じて前記ヒータへの通電をオフにすることを特徴とする。